(57)【要約】【課題】銀行口座や財布等に存在する金銭に関連する情報を通信装置により管理することが可能である情報処理システムを提供する。【解決手段】本発明の情報処理システムは、情報処理装置と通信装置とを含むように構成されている。情報処理装置は、金融機関の口座より口座情報を取得する。そして口座に対して入出金が行われる等により口座情報が変更された場合に、変更内容を示す変更情報を通信装置に対して送信する。通信装置は、操作部により手動入力された金銭情報である手動入力情報と、受信した口座情報、及び変更情報に関連する日付をカレンダー画像上で強調表示する。また通信装置は、カレンダー画像が表示された状態においてカレンダー画像上の所定日付が操作部により選択されると、選択された日付に関連する手動入力情報、口座情報、及び変更情報を記録部より読み出して表示部に表示する。【選択図】図１
2010152627.tif 000002
【特許請求の範囲】
【請求項１】
通信網に接続可能な第一通信部と、予め定められた金融機関の口座に関する口座情報を前記第一通信部により取得する情報取得部と、前記口座情報の変更内容を示す変更情報及び前記口座情報を前記第一通信部により送信する情報配信部とを備えた情報処理装置と、
前記口座情報及び前記変更情報の受信を行う第二通信部と、画像の表示を行う表示部と、操作を受け付ける操作部と、前記操作部により入力された金銭情報である手動入力情報、前記口座情報、及び前記変更情報に関連する日付をカレンダー画像を用いて前記表示部に示す情報表示部とを備えた通信装置とを含むことを特徴とする情報処理システム。
【請求項２】
前記通信装置が、前記手動入力情報、前記口座情報、及び前記変更情報を記録する記録部を備え、
前記情報表示部が、前記カレンダー画像により前記表示部に示されている日付が前記操作部により選択された場合に、前記日付に関連する前記手動入力情報、前記口座情報、及び前記変更情報を前記記録部より読み出して前記表示部に表示する請求項１に記載の情報処理システム。
【請求項３】
前記情報表示部が、予め定められた期間に関連する前記変更情報及び前記手動入力情報を前記表示部に一覧表示するとともに、前記変更情報と前記手動入力情報とを異なる表示形式により一覧表示する請求項１に記載の情報処理システム。
【請求項４】
前記情報処理装置が備える前記情報取得部が、前記口座情報の変更予定を示す予定情報を予め定められた公共機関より取得し、前記情報配信部が前記予定情報を前記第一通信部により送信し、
前記通信装置が、前記第二通信部により受信した前記変更情報と前記予定情報とを比較し、前記変更情報に含まれる変更内容と前記予定情報に含まれる変更予定とに差異が存在する場合に通知を行う通知部を備える請求項１に記載の情報処理システム。
【請求項５】
請求項１〜請求項４のいずれかに記載の情報処理システムが含む前記通信装置。
【発明の詳細な説明】
【技術分野】
【０００１】
本発明は、通信網を用いた情報処理システム、及び通信装置に関するものであり、特に金融機関に存在する口座の情報や、ユーザが購買等を行うことにより発生した金銭情報の管理を行うための情報処理システム、及び通信装置に関する。
【背景技術】
【０００２】
近年、通信インフラの発達により、通信に関する様々な付加サービスが普及するようになってきた。例えば携帯電話等の通信装置を含む情報処理システムにおいては、通信装置を利用して金融機関から口座情報を取得したり、口座振り込みや買い物の支払い等を通信網を介して実行したりすることが可能な情報処理システムが実用化されている。
【０００３】
上記に関連して特許文献１においては、口座番号を必要とすることなく金融機関のサービスを実現可能であり、且つ金銭の移動を明確に把握できるようにすることにより、受取人の受け取り手続きの負担を軽減することが可能な金融取引サービス方法が開示されている。
【特許文献１】特開２００７−３１７１７３号公報
【発明の開示】
【発明が解決しようとする課題】
【０００４】
上記の特許文献１によれば、口座番号の代わりに携帯電話番号または携帯電話番号と対応する電子メールアドレスを用いて受取人を特定して振り込みを行うことにより、金融機関の利用者の利便性を向上させている。
【０００５】
しかしながら特許文献１の金融取引サービス方法では、例えばユーザが口座の預金残高等を知りたい場合に、その都度金融機関へアクセスして認証処理等を行う必要があるため、手間がかかるという問題があった。また、アクセスの度に通信費がかかるため、コストの面で不利である。
【０００６】
本発明は、上記の問題を解決するためになされたものであって、ユーザの金銭に関連する情報、例えば口座の預金残高や、財布に保持している紙幣及び硬貨の金額等を通信装置を用いて管理することが可能である情報処理システム、及び通信装置を提供することにある。
【課題を解決するための手段】
【０００７】
上記目的を達成するために本発明の情報処理システムは、通信網に接続可能な第一通信部と、予め定められた金融機関の口座に関する口座情報を前記第一通信部により取得する情報取得部と、前記口座情報の変更内容を示す変更情報及び前記口座情報を前記第一通信部により送信する情報配信部とを備えた情報処理装置と、前記口座情報及び前記変更情報の受信を行う第二通信部と、画像の表示を行う表示部と、操作を受け付ける操作部と、前記操作部により入力された金銭情報である手動入力情報、前記口座情報、及び前記変更情報に関連する日付をカレンダー画像を用いて前記表示部に示す情報表示部とを備えた通信装置とを含むことを特徴としている。
【０００８】
この構成によると、本発明の情報処理システムは、サーバ等の情報処理装置と、携帯電話等の通信装置とを含むように構成されている。情報処理装置は、通信網に接続可能な第一通信部と、所定の金融機関の口座より口座情報を取得する情報取得部を備えている。情報取得部はさらに、口座に対して入出金が行われる等により口座情報が変更された場合に、変更内容を示す変更情報を金融機関より取得する。また情報処理装置は、上記の口座情報及び変更情報を通信装置等に対して送信する情報配信部を備えている。
【０００９】
通信装置は、口座情報や変更情報を受信する第二通信部と、画像の表示を行う表示部と、操作を受け付ける操作部とを備えている。操作部により手動入力された金銭情報は、手動入力情報として通信装置に取得される。また通信装置は、口座情報、変更情報及び手動入力情報に関連する日付、例えば変更情報における口座内容変更日等を、カレンダー画像上で強調表示する等によりユーザに示す情報表示部を備えている。
【００１０】
また上記目的を達成するために本発明の情報処理システムは、前記通信装置が、前記手動入力情報、前記口座情報、及び前記変更情報を記録する記録部を備え、前記情報表示部が、前記カレンダー画像により前記表示部に示されている日付が前記操作部により選択された場合に、前記日付に関連する前記手動入力情報、前記口座情報、及び前記変更情報を前記記録部より読み出して前記表示部に表示する。
【００１１】
この構成によると、本発明の情報処理システムに含まれる通信装置は、手動入力情報、口座情報、及び変更情報を記録する記録部を備えている。情報表示部は、カレンダー画像が表示部表示された状態において、カレンダー画像上の所定日付が操作部により選択されると、選択された日付に関連する手動入力情報、口座情報、及び変更情報を記録部より読み出して表示部に表示する。
【００１２】
また上記目的を達成するために本発明の情報処理システムは、前記情報表示部が、予め定められた期間に関連する前記変更情報及び前記手動入力情報を前記表示部に一覧表示するとともに、前記変更情報と前記手動入力情報とを異なる表示形式により一覧表示する。
【００１３】
この構成によると、通信装置が備える情報表示部が、所定期間内における変更情報、及び手動入力情報を表示部に一覧表示する。また一覧表示を行う際に、変更情報と前記手動入力情報とを区別するため、異なる表示形式で一覧表示する。
【００１４】
また上記目的を達成するために本発明の情報処理システムは、前記情報処理装置が備える前記情報取得部が、前記口座情報の変更予定を示す予定情報を予め定められた公共機関より取得し、前記情報配信部が前記予定情報を前記第一通信部により送信し、前記通信装置が、前記第二通信部により受信した前記変更情報と前記予定情報とを比較し、前記変更情報に含まれる変更内容と前記予定情報に含まれる変更予定とに差異が存在する場合に通知を行う通知部を備える。
【００１５】
この構成によると、情報処理装置が備える情報取得部が、口座情報の変更予定を示す予定情報を電力会社等の公共機関から取得し、取得した予定情報を情報配信部が第一通信部により通信装置へ送信する。通信装置が備える通知部は、第二通信部により受信した変更情報と予定情報とを比較し、変更情報に含まれる変更内容と予定情報に含まれる変更予定とに差異が存在するか否かを判定する。そして差異が存在する場合、通知部は警告メッセージを表示部に表示する等によりユーザへの通知を行う。
【発明の効果】
【００１６】
本発明の構成によれば、通信装置が、情報処理装置より受信した変更情報や、手動入力された手動入力情報に関連する日付をカレンダー画像上で表示する。このためユーザは、口座に対して入出金があった日付や、購買情報を入力した日付等を、カレンダー画像により容易に確認することができる。
【００１７】
また本発明の構成によれば、カレンダー画像上の所定日付が操作部により選択された場合に、選択された日付に関連する手動入力情報、口座情報、及び変更情報を記録部より読み出して表示部に表示する。このためユーザは、カレンダー画面から各情報の詳細を容易に確認できる。また各情報は予め記録部に記録されているため、口座情報等を確認する度に情報処理装置から情報を取得する必要がないため、処理にかかる時間及び通信料金の面で有利である。
【００１８】
また本発明の構成によれば、所定期間における変更情報、及び手動入力情報を、その種類を区別しつつ一覧表示する。このためユーザは、口座の預金残高に関係する変更情報と、口座の預金残高に関係しないローカル情報である手動入力情報とを、一つの一覧画面で確認することができる。
【００１９】
また本発明の構成によれば、通信装置が受信した変更情報と予定情報とを比較し、変更情報に含まれる変更内容と予定情報に含まれる変更予定とに差異が存在する場合に通知を行う。このためユーザは、例えば公共機関から引き落とされた金額が事前通知された金額と異なる場合に、差異が発生したことを認識することができる。
【発明を実施するための最良の形態】
【００２０】
以下に本発明の一実施形態を、図面を参照しながら説明する。なお、ここで示す実施形態は一例であり、本発明はここに示す実施形態に限定されるものではない。
〈１．情報処理システムの構成について〉
図４は、本発明の一実施形態に係る情報処理システムの構成を示すブロック図である。本システムは少なくとも、携帯電話１（＝通信装置）、銀行４（＝金融機関）に設けられたサーバ２（＝情報処理装置）、アクセスポイント３（例えば、基地局）、有線通信網５１、無線通信網５２、及び広域通信網５３を含むように構成されている。また広域通信網５３に接続されて各種サービスを提供する公共機関として電力会社５、及びガス会社６を含んでいる。
【００２１】
携帯電話１は、無線通信網５２を介してアクセスポイント３に接続可能な通信端末であり、複数の携帯電話１が同時にアクセスポイント３に接続可能である。また携帯電話１は、アクセスポイント３及び有線通信網５１を介して、サーバ２と相互通信可能である。また携帯電話１は、銀行４等の金融機関においてユーザが所有する口座の口座情報や、買い物を行うことにより発生した購買情報等を記録する機能を備える。なお、携帯電話１の装置構成の詳細については後述する。
【００２２】
サーバ２は、アクセスポイント３を介して携帯電話１に接続し、携帯電話１から送られてくる個人情報や認証情報に基づいて情報配信を行うための情報処理装置である。また、銀行４に存在するユーザの口座に入手金処理等が行われ、口座情報に変更が生じた場合に、その変更内容を取得して記録する役割も持つ。なお、サーバ２の内部構造の詳細については後述する。
【００２３】
アクセスポイント３（例えば基地局）は、有線通信網５１と無線通信網５２とを相互接続するための通信装置である。アクセスポイント３は、物理的な通信方式やプロトコルの異なるネットワーク間での通信の中継を行うことが可能である。
【００２４】
有線通信網５１は、通信プロトコルにより通信機器を相互接続して構築された通信網であり、例えばＬＡＮ（Local Area Network）や電気通信事業者が提供する専用線がこれに相当する。なお、有線通信網５１のネットワーク層及びトランスポート層の通信プロトコルとしては、ＴＣＰ／ＩＰが標準的なプロトコルとして用いられることが多い。
【００２５】
無線通信網５２は、複数の携帯電話１とアクセスポイント３とが無線接続された携帯電話用通信網である。具体的には例えば、Ｗ−ＣＤＭＡ（Wideband Code Division Multiple Access）規格に準拠した通信方式等を用いて無線通信を行う。
【００２６】
広域通信網５３は、例えばインターネットや専用線等により構成される通信網であり、銀行４等の金融機関や、電力会社５及びガス会社６等の公共機関を接続して相互に通信可能としたものである。
〈２．サーバの内部構成について〉
図３は、本発明の一実施形態に係るサーバ２の内部構成、及び機能部構成を示すブロック図である。サーバ２は少なくとも、制御部３１、メモリ３２、ハードディスク３３、通信Ｉ／Ｆ部３４（＝第一通信部）、及び通信制御部３５（＝第一通信部）を含むように構成されている。
【００２７】
制御部３１は、サーバ２における各種処理を実施するため、各装置を制御する。これにより、ハードディスク３３に記録されている口座情報の配信処理や、ユーザ認証を行うための個人情報の解析処理等を統括制御する。制御部３１は、例えば複数のマイクロプロセッサから構成されている。また制御部３１は、各装置（例えば通信Ｉ／Ｆ部３４等）の制御や情報の計算、加工処理等を行う中枢部分となっている。
【００２８】
メモリ３２は、サーバ２が各種処理を実行する際に、処理情報を一時的に記録する記録媒体である。ハードディスク３３は、銀行４から送られてきた口座情報や、携帯電話１から送られてきた個人情報等を記録するための磁気記録媒体である。
【００２９】
通信Ｉ／Ｆ部３４は、サーバ２を通信ネットワークと接続するための物理的なインタフェースである。通信Ｉ／Ｆ部３４は例えば、ＩＥＥＥ８０２．３規格に準拠したネットワークカード等を備えている。このネットワークカードのＬＡＮポートにツイストペアケーブルを差し込むことにより、有線通信網５１との接続が可能となっている。通信制御部３５は、通信Ｉ／Ｆ部３４により接続された外部装置、例えば携帯電話１等と相互通信を行うための通信制御を行う。
【００３０】
またサーバ２は、制御部３１が備える演算処理装置上で所定のプログラムが実行されることにより実現される機能部として、ユーザ認証部３１ａ、情報取得部３１ｂ、及び情報配信部３１ｃを備えている。
【００３１】
ユーザ認証部３１ａは、携帯電話１から受信した認証情報の解析処理を行う。これにより、携帯電話１より送られてくる各種リクエストが、正規のユーザによるものであるか否かを判定する。なお解析処理により得られたデータは、ハードディスク３３に記録されているユーザ管理データベースに登録される。
【００３２】
情報取得部３１ｂは、銀行４の口座に対する料金引き落としが発生したり、口座に対する振り込みが発生したりする等により口座情報に変更が生じた場合に、変更内容を示す変更情報を収集する。また情報取得部３１ｂは、電力会社５やガス会社６等の公共機関から、引き落とし予定日や引き落とし予定金額等を示す予定情報を、引き落とし前に取得する機能も備える。
【００３３】
具体的な取得方法としては、例えば銀行口座の管理サーバ（不図示）が口座情報の変更を検知した場合に、管理サーバからサーバ２へ変更情報が送信される。また予定情報に関しては、電力会社５やガス会社６において予定情報の内容が確定した時点で、各公共機関がサーバ２へ送信する。或いは、所定期間毎にサーバ２から管理サーバや公共機関へ情報取得リクエストを送信することにより、変更情報及び予定情報を定期的に取得する形態でもよい。
【００３４】
情報配信部３１ｃは、上記で取得した変更情報及び予定情報を、携帯電話１に配信する。なお情報配信部３１ｃは、予め取り決めが行われたデータフォーマットを用いて、携帯電話１へ各情報の配信を行う。
〈３．通信装置の内部構成について〉
図２は、本発明の一実施形態に係る携帯電話１の内部構成示すブロック図である。携帯電話１は少なくとも、制御部１１、メモリ１２（＝記録部）、操作部１３、ＬＣＤ（Liquid Crystal Display）１４（＝表示部）、通信Ｉ／Ｆ（Interface）部１５（＝第二通信部）、通信制御部１６（＝第二通信部）、メモリスロット１７、データ入力部１８、マイク１９、及びＣＣＤカメラ２０を含むように構成されている。またメモリスロット１７に対して外部記録媒体であるメモリカード９０（＝記録部）を着脱可能である。
【００３５】
制御部１１は、携帯電話１における情報表示処理や通信処理等を実施するため、各装置を制御する。制御部１１は、例えば複数のマイクロプロセッサから構成されている。また制御部１１は、制御部１１が備える演算処理装置上で所定のプログラムを実行することにより実現される機能部として、情報送受信部１１ａ、情報表示部１１ｂ、及び通知部１１ｃを備えている。なお、各機能部の詳細については後述する。
【００３６】
メモリ１２は、携帯電話１が保持する各種情報を一時的に記録する記録媒体である。メモリ１２は、例えば制御部１１によって各種情報処理が行われる際の処理情報や、ＬＣＤ１４に表示するための画像情報、或いはサーバ２より取得した口座情報等を記録する役割を持つ。
【００３７】
操作部１３は、ユーザが携帯電話１に対して、通信指示や情報閲覧指示等の各種指示を行うためのものである。操作部１３により入力された指示は制御部１１により受け付けられ、指示の内容に基づいて各種制御処理が行われる。操作部１３は例えば、複数の操作ボタンやスイッチ等から構成される。或いは、ＬＣＤ１４がタッチパネル機能を備えることにより、タッチパネルを介して操作指示を受け付ける形態でもよい。
【００３８】
ＬＣＤ１４は、通話処理に関連する情報や、後述するカレンダー画像等を表示する表示部である。或いは、ユーザによる接触を検知するタッチパネル機能を備えている形態であってもよい。これにより、表示画面上の所定領域への接触を検知することにより、その領域に関連付けられた処理を実施する。
【００３９】
通信Ｉ／Ｆ部１５は、携帯電話１を無線通信網５２と接続するための物理的なインタフェースである。通信Ｉ／Ｆ部１５は例えば、Ｗ−ＣＤＭＡ規格の無線アンテナ等を含むように構成されている。
【００４０】
通信制御部１６は、通信Ｉ／Ｆ部１５により接続された外部装置、例えばアクセスポイント３との相互通信を行うための通信制御を行う。これにより、ユーザの個人情報や購買情報をサーバ２に送信したり、或いはサーバ２より課金情報や代金引き落とし情報等を受信してユーザに提示することができる。
【００４１】
メモリスロット１７は、ＳＤメモリカード９０等の外部記録媒体を接続して情報の伝送を行うインタフェースである。ＳＤメモリカード９０には例えば、サーバ２より取得した口座情報や、ユーザが操作部１３を操作することにより入力した購買情報等が記録される。これにより例えば、携帯電話１が無線通信網５２から切断された場合であっても、ユーザは銀行口座に存在する預金の残高等を確認することができる。
【００４２】
データ入力部１８は、外部の記録装置を有線或いは無線により接続して各種情報の入力を行うための入力インタフェースである。データ入力部１８は例えば、シリアルケーブル接続用ソケットや、赤外線通信を行うためのＩｒＤＡポート（不図示）、或いはＵＳＢ接続端子（不図示）等を含むように構成されている。
【００４３】
マイク１９は、ユーザの音声を入力するための入力装置である。マイク１９は例えばＬＣＤ１４の近傍に設置される。ユーザはマイク１９に音声を入力することにより、例えば他の電話装置の使用者との間で音声通信を行うことが可能である。
【００４４】
ＣＣＤカメラ２０は、画像撮像素子としてＣＣＤを用いた撮像装置である。ＣＣＤは撮像レンズユニット（不図示）により結像された被写体の光像（光学情報）をＲ（赤）・Ｇ（緑）・Ｂ（青）の色成分の画像データに光電変換して出力する。なおＣＣＤは、タイミングジェネレーター（不図示）により駆動されることにより、例えば絞りや露光時間の制御等が行われる。
〈４．通信装置の機能構成について〉
ここで、本発明の一実施形態に係る携帯電話１が情報表示処理を実施するための各機能部の構成を、図１の機能ブロック図を用いながら説明する。
【００４５】
図１に示すように本発明の情報表示処理は少なくとも、携帯電話１の制御部１１が備える情報送受信部１１ａ、情報表示部１１ｂ、及び通知部１１ｃと、メモリ１２と、操作部１３と、ＬＣＤ１４と、通信制御部１６と、ＳＤメモリカード９０とにより実現される。
【００４６】
情報送受信部１１ａは、通信制御部１６を用いて、サーバ２により配信される情報の受信、及びサーバ２対する情報の送信を行う。なお、通信を行うためのプロトコル及びデータフォーマットは、予めサーバ２との間で取り決めが行われているものとする。受信する情報としては、例えば銀行口座の変更情報や、各公共機関からの引き落とし予定を示す予定情報等が存在する。送信する情報としては、例えばユーザ認証のための認証情報等が存在する。
【００４７】
情報表示部１１ｂは、操作部１３により入力された入出金情報（＝金銭情報）である手動入力情報や、サーバ２より受信した口座情報、変更情報、及び予定情報に基づいて、携帯電話１のユーザが保持する金銭に関する情報の表示を行う。具体的には例えば、銀行口座の預金残高、引き落とし履歴、入金履歴、購買履歴、各履歴の日時情報等をＬＣＤ１４に表示する。
【００４８】
通知部１１ｃは、サーバ２から受信した口座情報及び予定情報の比較を行い、その整合性がとれているか否かを判定する。具体的には、公共機関からの引き落とし発生を示す変更情報をサーバ２から受信し、且つ該当公共機関の引き落とし予定金額を示す予定情報を予めサーバ２から受信している場合に、両情報に含まれる金額が一致するか否かを判定する。そして一致しない場合に、例えばＬＣＤ１４に警告メッセージを表示する等により、ユーザへの通知を行う。
〈５．画面構成について〉
ここで、本発明の一実施形態に係る情報表示部１１ｂにより表示されるカレンダー画面６０、入出金入力画面７０、及び入出金一覧画面８０の構成を、図５〜図９の画面図を用いて説明する。
【００４９】
図５及び図６は、口座情報に変更があった年月日や、ユーザにより手動入力情報が入力された年月日を示すためのカレンダー画面６０の一例である。カレンダー画面６０は、日付表示領域６１、内容表示領域６２、及び操作ボタン表示領域６３を含むように構成されている。また日付表示領域６１には、当日を示す当日マーク６４、及びユーザ操作可能なカーソル６５が含まれている。
【００５０】
また図中の三角印は、口座情報に変更があった日付を示す印である。三角印は預金残高の増加が発生した日付を、逆三角印は預金残高の減少が発生した日付を示している。なお図示していないが、一日の間に増減の両方が発生した場合は、三角印と逆三角印を重ねあわせて表示する。
【００５１】
カーソル６５は、操作部１３が備える十字キー等により、上下左右に移動を行うことが可能である。カーソル６５が重なっている日付に対応する変更情報、予定情報、及び手動入力情報は、内容表示領域６２に表示される。なお内容表示領域６２には文字列画像が表示可能である。
【００５２】
カーソル６５が所定の日付に重なっている状態で操作部１３の所定ボタンが押下されると、図７に示す入出金入力画面７０が表示される。入出金入力画面７０は、タイトル表示領域７１と、入出金編集領域７２とを含む。スケジュール編集領域７２では、テキスト編集により、手動入力情報の入力や変更を行うことが可能である。
【００５３】
なお入出金入力画面７０で入力可能な手動入力情報は、購買情報のように出金が伴う情報だけではなく、金銭を受け取った場合のように入金が伴う情報も入力可能である。入力が完了するとカレンダー画面６０に戻り、入力内容を示すテキストデータが内容表示領域６２に表示される。
【００５４】
なお入出金入力画面７０で入力される入出金情報は、ユーザが財布等により保持している現金に関する情報であるため、銀行４の口座に存在する預金残高とは別のものである。従って、次に説明する入出金一覧画面８０において、口座の残高表示に影響を与えない。
【００５５】
図８は、所定期間（図８の例では２００８年１０月の一ヶ月間）における入出金情報の一覧を表示する入出金一覧画面８０である。入出金一覧画面８０は、タイトル表示領域８１と、入出金表示領域８２とを含む。入出金表示領域８２では、口座において所定期間内に発生した変更情報及び予定情報と、手動入力情報とを時系列順に表示している。
【００５６】
スケジュール編集領域８２は左より、日付、入出金内容、入出金金額、口座預金残高が表示されている。なお、口座預金に影響を与えない情報、例えば手動入力情報（２５日の買い物、及び２６日の野球観戦）は、残高欄に★印を表示することにより区別している。
【００５７】
図８の例では、例えば２４日の時点で給与振り込みが行われて３００，０００円が加算されることにより、残高が１，２００，０００円から１，５００，０００円に増加している。２５日及び２６日の入出金情報は手動入力情報であるため、残高に変更はない。２８日に電気代の引き落としが行われると、１，５００，０００円から４，０００円が差し引かれ、残高が１，４９６，０００円となる。なお以上に説明した画面の表示及び演算処理は、情報表示部１１ｂが行う。
【００５８】
また図９は、２００８年１１月の一ヶ月間における入出金情報の一覧を表示した入出金一覧画面８０である。なお、この画面が表示されている時点での日付が２００８年１１月２３日である。このため、口座預金に影響を与える予定情報（２４日の給与振込、及び２８日の電気代）が入出金表示領域８２に表示されている。
【００５９】
予定情報により示される入出金処理はまだ実施されていないため、残高欄には金額が表示されない。なお、入出金表示領域８２に表示される予定情報は入出金額が確定しているもののみとし、２３日の時点で入出金額が確定していない予定情報、例えば図９の例ではガス代に関しては表示されていない。
〈６．口座情報配信処理について〉
ここで、本発明の一実施形態に係るサーバ２が実施する口座情報配信処理について、図１０のフロー図を用いながら説明する。
【００６０】
図１０に示す処理は、サーバ２の電源が起動されている状態において任意のタイミングで開始可能である。本処理の開始後、情報取得部３１ｂはステップＳ１１０において、銀行４に存在する所定口座の内容に変更が加えられたこと、例えば引き落としが行われたこと等を検知したか否かを判定する。
【００６１】
検知されていない場合、後述するステップＳ１３０に移行する。検知された場合、情報取得部３１ｂはステップＳ１２０において、口座に加えられた変更内容に基づいて、ハードディスク３３に記録されている口座情報の変更を行う。そして変更内容を示す変更情報を生成してハードディスク３３に記録する。
【００６２】
次に情報取得部３１ｂはステップＳ１３０において、電力会社５等の公共機関から、口座に関する入出金予定を示す予定情報の取得に成功したか否かを判定する。予定情報が取得されていない場合、後述するステップＳ１５０に移行する。予定情報を取得した場合、ハードディスク３３に記録されている口座毎の予定情報の更新を行う。
【００６３】
次に情報配信部３１ｃはステップＳ１５０において、携帯電話１より送られてくる情報配信要求を検知したか否かを判定する。検知していない場合、再びステップＳ１１０に移行する。検知した場合、ユーザ認証部３１ａはステップＳ１６０において、携帯電話１の使用者が正規のユーザであるか否かを判定するための認証処理を行う。これは例えば、携帯電話１との間でパスワードや電子署名の送受信を行うこと等により行う。
【００６４】
次にユーザ認証部３１ａはステップＳ１７０において、認証処理の成功／失敗により処理の分岐を行う。失敗した場合、再びステップＳ１１０に移行する。成功した場合、情報配信部３１ｃはステップＳ１８０において、携帯電話１のユーザが保持する口座の口座情報、変更情報、及び予定情報を送信する。なお、変更情報や予定情報が存在しない場合は、これらの送信を行う必要はない。送信が完了すると、再びステップＳ１１０に移行する。
【００６５】
なお、以上に説明した処理フローは、サーバ２が正常稼働している限りにおいて継続して実行されるものとする。従ってサーバ２が保守作業等により停止されない限り、基本的に処理フローの終了は行わない。
〈７．情報表示処理について〉
ここで、本発明の一実施形態に係る携帯電話１が実施する情報配信処理について、図１１のフロー図を用いながら説明する。
【００６６】
図１１に示す処理は、携帯電話１の電源が起動されている状態において任意のタイミングで開始可能である。本処理の開始後、情報送受信部１１ａはステップＳ１１０において、サーバ２に対する情報取得指示を検知したか否かを判定する。なお情報取得指示は、例えばユーザが操作部１３を用いて口座情報等の取得操作を行った場合に発行される。
【００６７】
検知されていない場合、後述するステップＳ２２０に移行する。検知された場合、情報送受信部１１ａはステップＳ２１１において、サーバ２からユーザの口座情報、変更情報、及び予定情報を取得する。具体的には、ユーザ認証部３１ａとの間で認証処理を行い、認証に成功した場合に、情報配信部３１ｃより所定情報を取得する。
【００６８】
次に通知部１１ｃはステップＳ２１２において、受信した変更情報と、予めメモリ１２に記録されている予定情報との整合性がとれているか否かを判定する。具体的には例えば、上記の情報を受信した日時が２００８年１１月２５日であり、図９に示す予定情報（２４日の給与振込、２８日の電気代）を事前に取得していたとする。この場合、受信した変更情報に２４日の給与振込に関する情報が存在し、且つ入出金額が一致しているか否かを判定する。
【００６９】
一致している場合、後述するステップＳ２２０に移行する。一致していない場合、もしくは情報が存在しない場合、通知部１１ｃはステップＳ２１３において、警告メッセージをＬＣＤ１４に表示する等により通知を行う。なお図９に示す例では、２８日の電気代に関しては実施予定日時がまだ到来していないため、整合性のチェックは行わない。
【００７０】
次に情報表示部１１ｂはステップＳ２２０において、操作部１３による手動入力情報の入力操作が検知されたか否かを判定する。検知されていない場合、後述するステップＳ２４０に移行する。検知された場合、情報表示部１１ｂはステップＳ２３０において、図７に示す入出金入力画面７０を表示し、手動入力情報の受け付けを行い、メモリ１２に記録する。
【００７１】
次に情報表示部１１ｂはステップＳ２４０において、入出金情報の表示操作が操作部１３により検知されたか否かを判定する。検知されていない場合、ステップＳ２１０に再び移行する。検知された場合、図８または図９に示す入出金一覧画面８０を表示する。表示後、所定の操作を受け付けるか、或いは所定時間が経過すると、再びステップＳ２１０に移行する。
【００７２】
なお、以上に説明した処理フローは、携帯電話１が正常稼働している限りにおいて継続して実行されるものとする。従って携帯電話１の電源が停止されない限り、基本的に処理フローの終了は行わない。
【００７３】
以上に説明した本実施形態によれば、ユーザは口座情報、変更情報及び手動入力情報に関連する日付をカレンダー画面６０で容易に確認することができる。また、カレンダー画面６０で所定の日付を選択することにより、その日付に関連する口座情報、変更情報、及び手動入力情報を閲覧できる。
【００７４】
また本実施形態によれば、上記の各情報をメモリ１２等の記録媒体に記録しているため、ユーザは口座情報等を確認する度に、サーバ２との間で通信や認証を行う必要がない。このため、処理にかかる時間及び通信料金の面で有利である。
【００７５】
また本実施形態によれば、所定期間における変更情報、及び手動入力情報を、入出金一覧画面８０を用いて一覧表示する。このためユーザは、口座の預金残高に関係する変更情報と、口座の預金残高に関係しない入出金情報とを、一つの画面で一度に確認することができる。
【００７６】
また本実施形態によれば、受信した変更情報と予定情報とに差異が存在する場合に、通知部１１ｃが通知を行う。このためユーザは、例えば電力会社５から引き落とされた金額が事前通知された金額と異なる場合に、その差異を認識することができる。
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【００７７】
従って本発明は、以下の形態にも適用可能である。
【００７８】
（Ａ）上記実施形態では、情報取得処理、情報配信処理、及び情報表示処理に関わる各機能部が携帯電話１及びサーバ２内部に備わっている構成を例として説明したが、これらの機能部の一部がＬＡＮ等のネットワークを介して接続された外部装置により実現される形態であってもよい。例えば、サーバ２が備えるユーザ認証部３１ａが有線通信網５１に接続された認証サーバ（不図示）が備える形態であってもよい。これにより、サーバ２の処理を分散してサーバ２一台あたりの処理負荷を低減することができる。
【００７９】
（Ｂ）上記実施形態では、サーバ２が銀行４の内部に含まれている形態を例に説明を行っているが、サーバ２と銀行４とが互いに独立して存在するシステム構成でもよい。この場合、一台のサーバ２を用いて複数の銀行４の口座情報を一元管理することができる。
【００８０】
（Ｃ）上記実施形態では、携帯電話１の通知部１１ｃが変更情報と予定情報との比較を行っているが、これをサーバ２で行い、差異が存在する場合に携帯電話１に通知する形態でもよい。
【００８１】
（Ｄ）上記実施形態では、口座情報を取得して表示する通信装置の一例として携帯電話１を例に説明を行っているが、表示部を備えた通信装置であれば、これ以外の装置において本発明を実施する形態でもよい。例えば、ＰＨＳ、テレビ電話装置、パソコン上で実行される通信アプリケーション、ＰＤＡ等において本発明を実施する形態でもよい。
【００８２】
（Ｅ）上記実施形態では、本発明の口座情報配信処理及び口座情報表示処理に関わる携帯電話１及びサーバ２の各種機能部が、マイクロプロセッサ等の演算処理装置上でプログラムを実行することにより実現されているが、各種機能部が複数の回路により実現される形態でもよい。
【００８３】
（Ｆ）上記実施形態では、入出金一覧画面８０に入出金額及び残高を表示しているが、この他の情報を入出金一覧画面８０に表示する形態でもよい。例えば、手動入力情報に含まれる入出金額の合計を情報表示部１１ｂが計算し、表示する形態でもよい。これにより、ユーザが財布に保持している紙幣及び硬貨の残高等を通知することが可能である。
【図面の簡単な説明】
【００８４】
【図１】本発明の通信装置の機能構成を示すブロック図である。
【図２】本発明の通信装置の内部構成を示すブロック図である。
【図３】本発明の情報処理装置の機能構成及び内部構成を示すブロック図である。
【図４】本発明の情報処理システムの構成を示すブロック図である。
【図５】本発明のカレンダー画面を示す画面図である。
【図６】本発明のカレンダー画面を示す画面図である。
【図７】本発明の入出金入力画面を示す画面図である。
【図８】本発明の入出金一覧画面を示す画面図である。
【図９】本発明の入出金一覧画面を示す画面図である。
【図１０】本発明の情報処理装置における情報配信処理の処理フローを示すフロー図である。
【図１１】本発明の通信装置における情報表示処理の処理フローを示すフロー図である。
【符号の説明】
【００８５】
１      携帯電話（通信装置）
２      サーバ（情報処理装置）
４      銀行（金融機関）
５      電力会社（公共機関）
６      ガス会社（公共機関）
１１ａ  情報送受信部
１１ｂ  情報表示部
１１ｃ  通知部
１２    メモリ（記録部）
１３    操作部
１４    ＬＣＤ（表示部）
１５    通信Ｉ／Ｆ部（第二通信部）
１６    通信制御部（第二通信部）
３１ａ  ユーザ認証部
３１ｂ  情報取得部
３１ｃ  情報配信部
３４    通信Ｉ／Ｆ部（第一通信部）
３５    通信制御部（第一通信部）
９０    ＳＤメモリカード（記録部）
【図１】
2010152627.tif 000003
【図２】
2010152627.tif 000004
【図３】
2010152627.tif 000005
【図４】
2010152627.tif 000006
【図５】
2010152627.tif 000007
【図６】
2010152627.tif 000008
【図７】
2010152627.tif 000009
【図８】
2010152627.tif 000010
【図９】
2010152627.tif 000011
【図１０】
2010152627.tif 000012
【図１１】
2010152627.tif 000013